(57)【要約】【課題】印刷物の内容がファイルの内容を編集加工したものか否かを簡単に識別することができる印刷装置、テープ印刷装置および印刷装置の制御方法を提供する。【解決手段】ユーザーにより入力されたテキストデータをファイルとして登録するファイル登録手段１４と、登録したファイルを呼び出すファイル呼出手段１４と、呼び出したファイルのテキストデータを編集する編集手段３と、印刷対象となるテキストデータが、編集手段３により編集されたか否かを判別する判別手段と、印刷対象となるテキストデータと、判別手段による判別結果と、を印刷媒体Ｔに印刷する印刷手段４３と、を備えた。【選択図】図６
2010167585.tif 000002
【特許請求の範囲】
【請求項１】
ユーザーにより入力されたテキストデータをファイルとして登録するファイル登録手段と、
登録した前記ファイルを呼び出すファイル呼出手段と、
呼び出した前記ファイルのテキストデータを編集する編集手段と、
印刷対象となるテキストデータが、前記編集手段により編集されたか否かを判別する判別手段と、
前記印刷対象となるテキストデータと、前記判別手段による判別結果と、を印刷媒体に印刷する印刷手段と、を備えたことを特徴とする印刷装置。
【請求項２】
前記ファイル登録手段は、
前記ファイル毎に、当該ファイルを特定するための識別子を登録し、
前記印刷手段は、
前記印刷媒体に前記識別子をさらに印刷することを特徴とする請求項１に記載の印刷装置。
【請求項３】
前記印刷手段は、
前記印刷対象となるテキストデータを、前記印刷媒体の第１の印刷領域に印刷し、
前記判別結果および前記識別子を、前記第１の印刷領域とは異なる第２の印刷領域に印刷することを特徴とする請求項２に記載の印刷装置。
【請求項４】
前記印刷媒体をハーフカットするハーフカット手段をさらに備え、
前記印刷媒体の前記第１の印刷領域と前記第２の印刷領域とは、前記ハーフカットによるハーフカットラインにより領域分けされることを特徴とする請求項３に記載の印刷装置。
【請求項５】
請求項１ないし４のいずれか１項に記載の印刷装置における各手段を備え、前記印刷媒体がテープであることを特徴とするテープ印刷装置。
【請求項６】
ユーザーにより入力されたテキストデータをファイルとして登録するファイル登録工程と、
登録した前記ファイルを呼び出すファイル呼出工程と、
呼び出した前記ファイルのテキストデータを編集する編集工程と、
印刷対象となるテキストデータが、前記編集工程により編集されたか否かを判別する判別工程と、
前記印刷対象となるテキストデータと、前記判別工程による判別結果と、を印刷媒体に印刷する印刷工程と、を備えたことを特徴とする印刷装置の制御方法。
【発明の詳細な説明】
【技術分野】
【０００１】
本発明は、作成したテキストデータをファイルとして登録することができる印刷装置、テープ印刷装置および印刷装置の制御方法に関するものである。
【背景技術】
【０００２】
従来、ユーザーが作成したラベルのテキストデータを、装置本体にファイルとして登録（保存）することができるテープ印刷装置が知られている。このテープ印刷装置では、ユーザーがテキストを入力した後、所定のキー操作を行うことにより当該テキストのデータをファイル登録する（ファイル登録機能）。また、登録したファイルは、所定のキー操作によりユーザーが所望するタイミングで呼び出すことができる（ファイル呼出機能）。これにより、例えば、以前に作成した印刷物を再度印刷するような場合、その印刷物の内容を再入力することなく、ファイルを呼び出すのみで印刷することができるため、利便性がよい（例えば、非特許文献１参照）。
【先行技術文献】
【非特許文献】
【０００３】
【非特許文献１】「テプラ」ＰＲＯ  ＳＲ８２８  取扱説明書、第２版（１９９８年７月発行）、ｐ．１２２−ｐ．１２３
【発明の概要】
【発明が解決しようとする課題】
【０００４】
ところで、上記のテープ印刷装置を用いて、似通った内容の印刷物を作成する場合、ファイル呼出機能を用いてファイルを呼び出し、その内容を若干変えて所望の印刷物を作成することが多い。しかしながら、作成した印刷物の内容がファイルの内容を変えたものであるということが分からないため、例えば、後にこの印刷物と同じ内容のものを作成しようとした場合、一から新規に印刷データを作成するような手間をかけたり、当該印刷物の内容がファイルの内容を変えたものであることが分からないまま、改めてファイルを呼び出して印刷をしてしまうことにより、結果として異なる内容の印刷物を作成してしまうということがある。
【０００５】
本発明は、上記の問題に鑑みたものであり、印刷物の内容がファイルの内容を編集加工したものか否かを簡単に識別することができる印刷装置、テープ印刷装置および印刷装置の制御方法を提供することを目的とする。
【課題を解決するための手段】
【０００６】
本発明の印刷装置は、ユーザーにより入力されたテキストデータをファイルとして登録するファイル登録手段と、登録したファイルを呼び出すファイル呼出手段と、呼び出したファイルのテキストデータを編集する編集手段と、印刷対象となるテキストデータが、編集手段により編集されたか否かを判別する判別手段と、印刷対象となるテキストデータと、判別手段による判別結果と、を印刷媒体に印刷する印刷手段と、を備えたことを特徴とする。
【０００７】
また、本発明の印刷装置の制御方法は、ユーザーにより入力されたテキストデータをファイルとして登録するファイル登録工程と、登録したファイルを呼び出すファイル呼出工程と、呼び出したファイルのテキストデータを編集する編集工程と、印刷対象となるテキストデータが、編集工程により編集されたか否かを判別する判別工程と、印刷対象となるテキストデータと、判別工程による判別結果と、を印刷媒体に印刷する印刷工程と、を備えたことを特徴とする。
【０００８】
これらの構成によれば、ファイルを呼び出して印刷を行う場合、印刷対象となるテキストデータが、呼び出したファイルのデータを編集したものか否かを判別し、印刷媒体にその判別結果を印刷する。例えば、ファイルから呼び出したテキストデータをそのまま印刷した場合は、印刷媒体に「変更なし（編集なし）」という情報を印刷し、編集したものであれば「変更あり（編集あり）」という情報を印刷する。
これにより、作成した印刷物の内容がファイルの内容を編集したものか否かを識別することができるため、例えば、ユーザーが、後にこの印刷物と同じ内容のものを作成しようとした場合、呼び出したファイルをそのまま印刷しても良いか、なんらかの編集処理が必要かどうかを容易に判断することができる。つまり、編集(変更)があったことを知らずに、誤ってそのままファイルを印刷することを回避することができる。
【０００９】
本発明の印刷装置において、ファイル登録手段は、ファイル毎に、当該ファイルを特定するための識別子を登録し、印刷手段は、印刷媒体に識別子をさらに印刷することが好ましい。
【００１０】
この構成によれば、印刷媒体にファイルの識別子（ファイル番号）を印刷することで、印刷結果と同じ内容のファイルを呼び出す際に、どのファイルを呼び出せばいいのかを容易に識別でき、利便性が良い。
【００１１】
本発明の印刷装置において、印刷手段は、印刷対象となるテキストデータを、印刷媒体の第１の印刷領域に印刷し、判別結果および識別子を、第１の印刷領域とは異なる第２の印刷領域に印刷することが好ましい。
【００１２】
この構成によれば、テキストデータと異なる領域に判別結果および識別子を印刷する。例えば、判別結果および識別子を印刷媒体の余白部分に印刷することで、テキストデータの印刷内容の見栄えを損なうことなく、有用な情報（判別結果および識別子）を印刷することができる。
【００１３】
本発明の印刷装置において、印刷媒体をハーフカットするハーフカット手段をさらに備え、印刷媒体の第１の印刷領域と第２の印刷領域とは、ハーフカットによるハーフカットラインにより領域分けされることが好ましい。
【００１４】
この構成によれば、テキストデータの印刷領域と、判別結果および識別子の印刷領域と、をハーフカットにより分離することができるため、テキストデータの印刷内容の見栄えを損なうことがない。
【００１５】
本発明のテープ印刷装置は、上記に記載の印刷装置における各手段を備え、印刷媒体がテープであることを特徴とする。
【００１６】
この構成によれば、印刷対象となるテキストデータが、呼び出したファイルのデータを編集したものか否かを示す情報をテープに印刷することが可能なテープ印刷装置を提供することができる。
【図面の簡単な説明】
【００１７】
【図１】本発明の一実施形態に係るテープ印刷装置の開蓋状態における外観斜視図である。
【図２】テープ印刷装置の制御ブロック図である。
【図３】ラベルの印刷内容について説明する図である。
【図４】ハーフカットしたラベルの印刷内容について説明する図である。
【図５】ファイル呼出処理の手順について説明するフローチャートである。
【図６】印刷処理の手順について説明するフローチャートである。
【図７】ラベルの印刷内容について説明する図である。
【発明を実施するための形態】
【００１８】
以下、本発明の一実施形態について、添付図面を参照しながら詳細に説明する。本実施形態では、印刷装置として、テープ状媒体に印刷を行うことによってラベルを作成するテープ印刷装置を例に挙げて説明する。
【００１９】
図１は、本実施形態に係るテープ印刷装置１の開閉蓋４を開いた状態の外観斜視図である。図１に示すようにテープ印刷装置１は、装置ケース２により外装が形成され、装置ケース２の前部上面には各種入力キーを備えたキーボード３（編集手段）が配置されると共に、後部上面には、その左部に開閉蓋４が取り付けられ、その右部には表示画面５が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００２０】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。機能キー群３ｂには、［印刷］キー１１、カーソルキー１２、[選択]キー１３、［ファイル］キー１４（ファイル登録手段，ファイル呼出手段）などが含まれる。なお、これらのキー入力は、一般的なキーボードと同様に、キー入力毎に個別にキーを設けても良いし、シフトキー等と組み合わせてより少ない数のキーを用いて入力するようにしても良い。
【００２１】
［印刷］キー１１は、印刷実行を指示するためのキーである。カーソルキー１２は、上下左右キー（［↓］，［↑］，［←］，［→］）から成り、カーソル移動やスクロール操作を行うためのキーである。また、［選択］キー１３は、選択候補（選択肢）の選択および確定操作を行うためのキーである。
【００２２】
一方、［ファイル］キー１４は、入力されたデータ（テキストデータや画像データ等）をファイルとして登録したり、あるいは登録したファイルの呼び出し／消去／複写などを行うためのキーである（以下、便宜上、ファイルのデータはテキストデータとする）。
【００２３】
なお、詳細は後述するが、［ファイル］キー１４の操作により呼び出したファイルに基づいてラベルを作成する場合、そのラベルには、当該ファイルの内容（あるいは、当該ファイルを編集した内容）に加え、そのファイルに関する情報が印刷される。
【００２４】
表示画面５は、液晶ディスプレイで形成されている。表示画面５は、ユーザーがキーボード３により所望の情報（テキストや画像等）を入力して、テキストデータや画像データ等の印刷データを作成・編集したり、その結果等を視認（確認）したりする際に用いられる。
【００２５】
装置ケース２の左側部には、カートリッジ装着部６と外部とを連通するテープ排出口２１が形成され、このテープ排出口２１には、送り出した印刷テープＴを切断するためのテープカッター２２（フルカッター５２およびハーフカッター５４，図２参照）が臨んでいる。そして、テープ排出口２１から印刷済みの印刷テープＴが所定長さだけ送り出され、送りを一旦停止させた状態で、この印刷済みの印刷テープＴをテープカッター２２により切断することにより、短冊状のラベルを作成する。
【００２６】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモーター３０（図２参照）が内蔵されている。
【００２７】
テープカートリッジＣは、カートリッジケース３１内部の上部中央部に、一定の幅（４ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４を覆うヘッドカバー２５に差し込まれるための貫通孔３４が形成されている。さらに、貫通孔３４に差し込まれたヘッドユニット２４は印刷テープＴとインクリボンＲとが重なる部分に対応して、前記プラテン駆動軸２７に嵌合されて回転駆動するプラテンローラー３５が配置されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００２８】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラー３５に当接して印刷が可能になる。その後、ユーザーが表示画面５の編集結果を確認しながらキーボード３により所望のテキスト（文字、数字、記号、簡易図形等のキャラクタ）や画像を入力し、印刷を指示すると、テープ印刷装置１は、テープ送りモーター３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモーター３０は、余白分を含むテープ長さの位置まで印刷テープＴの送りを行った後、その送りを停止する（その後、切断処理に移行する）。
【００２９】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサー（マイクロスイッチ等）３７（図２参照）が、複数設けられており、このテープ識別センサー３７により複数の孔の状態を検出することで、テープ種別を判別できるようになっている。
【００３０】
次に、図２の制御ブロック図を参照し、テープ印刷装置１の制御構成について説明する。テープ印刷装置１は、操作部４１、検出部４２、印刷部４３（印刷手段）、切断部４４、駆動部４５、およびこれら各部と接続して、テープ印刷装置１全体を制御する制御部４０を有している。
【００３１】
操作部４１は、キーボード３上の文字キー群３ａや機能キー群３ｂからの情報の入力・編集や設定、およびこれら各種情報の表示画面５への表示等、ユーザーインターフェイスとして機能する。検出部４２は、上述したテープ識別センサー３７を有し、印刷テープＴ（テープカートリッジＣ）の種別を検出する。印刷部４３は、印刷ヘッド２６およびテープ送りモーター３０を有し、印刷テープＴおよびインクリボンＲを搬送しながら印刷テープＴ上に、生成された印刷データに基づく印刷を行う。
【００３２】
切断部４４は、印刷テープＴをフルカットするフルカッター５２およびこれを駆動するフルカッターモーター５１と、印刷テープＴをハーフカットするハーフカッター５４（ハーフカット手段）およびこれを駆動するハーフカッターモーター５３と、を有している。そして、これらフルカッター５２およびハーフカッター５４により、印刷部４３で印刷処理済みの印刷テープＴを所定の長さになるように切断し、ラベルを作成する。駆動部４５は、ディスプレイドライバー５５、ヘッドドライバー５６、テープ送りモータードライバー５７およびカッターモータードライバー５８を有し、各部を駆動する。
【００３３】
制御部４０は、ＣＰＵ（Central Processing Unit）６１、ＲＯＭ（Read Only Memory）６２、ＲＡＭ（Random Access Memory）６３、フラッシュＲＯＭ６４、および入出力制御装置（以下、「ＩＯＣ：Input Output Controller」と称する）６５を備え、これらは互いに内部バス６６により接続されている。
【００３４】
ＲＯＭ６２は、ＣＰＵ６１が各種制御を行うための制御プログラムおよび制御データを記憶している。ＲＡＭ６３は、ＣＰＵ６１が各種処理を実行するための作業領域として使用される。
【００３５】
また、ＲＡＭ６３は、テキスト領域７１およびファイル情報領域７２を有している。テキスト領域７１は、現時点で表示画面５に表示されている表示内容のテキストデータを記憶する領域である。つまり、このテキスト領域７１のデータは、ユーザーが文字等を入力するたびに、随時更新される。例えば、ユーザーによりファイルが呼び出された場合、テキスト領域７１には、当該ファイルのテキストデータが記憶され、ユーザーにより編集が行われるたびに、随時更新される。
【００３６】
ファイル情報領域７２は、ユーザーにより呼び出されたファイルの各種情報を記憶する。ファイル情報領域７２は、ファイル番号領域７２ａと比較対象データ領域７２ｂとにより構成されており、ファイル番号領域７２ａには、呼び出されたファイルのファイル番号（識別子）が記憶される。一方、比較対象データ領域７２ｂには、呼び出されたファイルのテキストデータが記憶される。つまり、呼び出されたファイル内容がそのまま記憶される。なお、テープ印刷装置１の初期化処理によって、ファイル情報領域７２の内容は初期化され、ファイルが呼び出されていないことを示す状態になる。例えば、ファイル番号領域７２ａには「０」が書き込まれ、比較対象データ領域７２ｂには領域サイズ分の「０」が書き込まれることにより初期化される。
【００３７】
フラッシュＲＯＭ６４は、ファイル領域７３を有している。ファイル領域７３は、ユーザーにより入力されたテキストデータ毎にファイルとして記憶する。この記憶した各ファイルには、各ファイルを一意に特定するためのファイル番号が関連付けられている。また、このファイル領域７３へのアクセス（ファイルの登録／呼び出し／消去／複写など）は、上述の［ファイル］キー１４の操作により行われる。
【００３８】
上記の構成により、ＣＰＵ６１は、ＲＯＭ６２内の各種制御プログラムに従って、ＩＯＣ６５を介してテープ印刷装置１内の各部から各種信号・データを入力する。また、入力された各種信号・データに基づいてＲＡＭ６３内の各種データを処理し、ＩＯＣ６５を介してテープ印刷装置１の各部に各種信号・データを出力することにより、入力編集処理や印刷切断処理の制御を行なう。
【００３９】
ところで、印刷結果が類似する、または同一のラベルを作成する場合、登録されているファイルを呼び出し、その内容を編集・加工してラベルを印刷したり、または呼び出したファイルの内容をそのままラベルとして印刷するということが行われる。この場合、本発明のテープ印刷装置１では、呼び出されたファイルを編集した内容（あるいは、呼び出されたファイルの内容そのもの）に加え、そのファイルに関する情報を印刷したラベルを生成する。以下、図３ないし図６を参照して、具体的に説明する。
【００４０】
図３は、ファイルを呼び出し、そのデータに基づいて印刷されたラベルＬの一例について説明する図である。図３（ａ）は、ラベルＬにおける印刷領域の割り当ての様子を示す図である。ラベルＬは、テキスト印刷領域８１（点線の内側の領域，第１の印刷領域）および余白領域８２（実線と点線との間の領域，第２の印刷領域）を有している。テキスト印刷領域８１には、対象となるテキストデータ（テキスト領域７１のテキストデータ）が印刷され、余白領域８２には、呼び出したファイルのファイル番号を示すファイル番号情報、およびテキスト印刷領域８１に印刷されたテキストデータがファイルから呼び出したテキストデータを編集したか否かを示す編集情報が印刷される。
【００４１】
例えば、図３（ｂ）に示すように、ファイル番号が「０２５」、ファイル内容（テキストデータ）が「備品管理者  総務：伊藤  期限：２０１２年３月」のファイルを呼び出してラベルＬを作成する場合において、このファイルの内容を編集せずに、そのまま印刷した場合、テキスト印刷領域８１に呼び出したファイルのテキストデータがそのまま印刷され、余白領域８２にファイル番号情報（ここでは、「ファイル番号：０２５」）、およびテキスト印刷領域８１の内容が呼び出したファイルのテキストデータをそのまま印刷したことを示す（ファイルの内容を編集していないことを示す）編集情報（「変更なし」）が印刷されたラベルＬ１が作成される。
【００４２】
一方、ファイルの内容を編集して印刷した場合（「伊藤」を「山田」に、「２０１２年」を「２０１３年」に編集）、テキスト印刷領域８１に編集後のテキストデータが印刷され、余白領域８２にファイル番号情報（「ファイル番号：０２５」）、およびテキスト印刷領域８１の内容が呼び出したファイルの内容を編集したものであることを示す編集情報（「変更あり」）が印刷されたラベルＬ２が作成される。上記のように、ファイル番号情報および編集情報をラベルＬの余白領域８２に印刷することで、テキストデータの印刷内容の見栄えを損なうことなく、有用な情報を印刷することができる。
【００４３】
なお、図３（ａ）に示すテキスト印刷領域８１および余白領域８２の領域サイズは一例であり、これに限るものではない。また、ファイル番号情報および編集情報の印刷位置は、余白領域８２内であればその位置を問わず、例えば、図３（ｃ）のラベルＬ３およびＬ４に示すように、ラベルＬの余白領域８２の左側に印刷するようにしても良い。また、あるいは、余白領域８２の右側や下側に印刷するようにしても良い（不図示）。また、編集情報は、ファイルの内容（テキストデータ）を編集したか否かが識別できればよく、文字のみならず、記号や図形などで印刷しても良い。
【００４４】
また、ラベルＬの切断方法としてハーフカットの設定が行われている場合、図４に示すように、ハーフカットライン８３を境界として右側の領域（テキスト印刷領域８４）にテキストデータを印刷し、ハーフカットライン８３の左側の領域（ハーフカット領域８５）にファイル番号情報および編集情報を印刷するようにしても良い。このように印刷することにより、テキストデータの印刷領域と、ファイル番号情報および編集情報の印刷領域とを分離することができるため、テキストデータの印刷内容の見栄えを損なうことがない。なお、この場合、請求項における第１の印刷領域はテキスト印刷領域８４に相当し、第２の印刷領域はハーフカット領域８５に相当する。
【００４５】
次に、図５のフローチャートを参照して、ファイル呼出処理の手順について説明する。まず、ユーザーによる［ファイル］キー１４の操作により、ファイル呼出指示が発行されると（Ｓ０１）、テープ印刷装置１は、呼び出し対象となるファイルのファイル番号をファイル番号領域７２ａに記憶する（Ｓ０２）。続いてテープ印刷装置１は、呼び出し対象となるファイルの内容（テキストデータ）を比較対象データ領域７２ｂおよびテキスト領域７１にコピーする（Ｓ０３，Ｓ０４）。
【００４６】
次に、図６のフローチャートを参照して、印刷処理の手順について説明する。まず、ユーザーによる［印刷］キー１１の操作により、印刷が指示されると（Ｓ１１）、テープ印刷装置１は、ファイル番号領域７２ａを参照する（Ｓ１２）。この時、ファイル番号領域７２ａに記憶されている値が「０」以外の場合（Ｓ１３；Ｎｏ）、テープ印刷装置１は、テキスト領域７１のテキストデータ（印刷対象となるテキストデータ）は、ファイルから呼び出したデータであると判別し、ファイル番号情報として、ファイル番号領域７２ａに記憶された値をファイル番号とした印刷データを作成する（Ｓ１４）。続いて、テープ印刷装置１は、テキスト領域７１のテキストデータと、比較対象データ領域７２ｂのテキストデータとを比較し、これら２つのテキストデータが一致するか否かを判定する（Ｓ１５）。
【００４７】
比較の結果、両領域７３、７１ｂのテキストデータが一致した場合（Ｓ１６；Ｙｅｓ）、テープ印刷装置１は、テキスト領域７１のテキストデータはファイルから呼び出したテキストデータを編集していないと判別し（判別手段）、編集情報として「変更なし」を示す印刷データを作成する（Ｓ１７）。一方、比較の結果、両領域７３、７１ｂのテキストデータが一致しない場合（Ｓ１６；Ｎｏ）、テープ印刷装置１は、テキスト領域７１のテキストデータはファイルから呼び出したテキストデータを編集したものであると判別し（判別手段）、編集情報として「変更あり」を示す印刷データを作成する（Ｓ１８）。
【００４８】
続いて、テープ印刷装置１は、テキスト領域７１のテキストデータから印刷データを作成する（Ｓ１９）。そして、テープ印刷装置１は、上記Ｓ１４、Ｓ１７〜Ｓ１９で作成した印刷データに基づいて印刷処理を行う（Ｓ２０）。この印刷結果として、図３または図４に示すラベルＬ（Ｌ１〜Ｌ６）を作成することができる。
【００４９】
一方、ファイル番号領域７２ａに記憶されている値が「０」の場合（Ｓ１３；Ｙｅｓ）、テープ印刷装置１は、テキスト領域７１のテキストデータから印刷データを作成する（Ｓ１９）。そして、当該印刷データに基づいて印刷処理を行う（Ｓ２０）。この場合、テキスト領域７１のテキストデータ（印刷対象となるテキストデータ）は、ファイルから呼び出したデータでは無いと判別されるため、ラベルＬには、ファイル番号情報および編集情報は印刷されない。
【００５０】
以上のように、本実施形態によれば、ファイルを呼び出して印刷を行う場合、印刷対象となるテキストデータが呼び出したファイルのデータを編集したものか否かを示す編集情報を印刷する。これにより、作成したラベルＬの内容がファイルの内容を編集したものか否かを識別することができるため、例えば、ユーザーが、後にこのラベルと同じ内容のものを作成しようとした場合、呼び出したファイルをそのまま印刷しても良いか、なんらかの編集が必要かどうかを容易に判断することができる。つまり、編集(変更)があったことを知らずに、誤ってそのままファイルを印刷することを回避することができる。
【００５１】
また、ラベルＬにファイル番号を印刷することで、印刷結果（ラベル）と同じ内容のファイルを呼び出す際に、どのファイルを呼び出せばいいのかを容易に識別でき、利便性が良い。
【００５２】
なお、本実施形態では、テキストデータと、ファイル番号情報および編集情報とをラベルＬの異なる領域（例えば、図３におけるテキスト印刷領域８１および余白領域８２）に印刷しているが、これに限るものではない。例えば、図７に示すように、テキストデータ、ファイル番号情報および編集情報を１つの印刷データとして作成し、これをテキスト印刷領域８１に印刷するようにしても良い。
【００５３】
また、本実施形態では、印刷対象となるテキストデータが編集されたか否かを判別するために、ファイル呼び出し時に当該ファイルのテキストデータを比較対象データ領域７２ｂにコピーしておき、この比較対象データ領域７２ｂのテキストデータと、印刷対象となるテキストデータと、を比較しているが、これに限るものではない。例えば、編集フラグを設け、ファイル呼び出し直後に編集フラグを「０」にセットし（編集されていない状態を示す）、呼び出したファイルのテキストデータが編集された時点で編集フラグを「１」にセットすることで、編集されたか否かを判別するようにしても良い。
【００５４】
また、上述した実施例によらず、テープ印刷装置１の装置構成や処理工程等について、本発明の要旨を逸脱しない範囲で、適宜変更も可能である。
【符号の説明】
【００５５】
１…テープ印刷装置  ３…キーボード  １１…［印刷］キー  １４…［ファイル］キー  ４３…印刷部  ５３…ハーフカッターモーター  ５４…ハーフカッター  ８１…テキスト印刷領域  ８２…余白領域  ８３…ハーフカットライン  ８４…テキスト印刷領域  ８５…ハーフカット領域  Ｔ…印刷テープ  Ｌ…ラベル
【図１】
2010167585.tif 000003
【図２】
2010167585.tif 000004
【図３】
2010167585.tif 000005
【図４】
2010167585.tif 000006
【図５】
2010167585.tif 000007
【図６】
2010167585.tif 000008
【図７】
2010167585.tif 000009